(57)【要約】【課題】加熱調理器において、調理庫を用いて加熱調理する加熱調理器の受け皿の出し入れをスムーズにすることを実現した調理器を提供すること。【解決手段】調理庫４の外側に設けたレール１１は、調理庫４の下方に取り付けられるレール保持体１２に固定され、調理庫４をレール保持体１２の上方からレール保持体１２と相互に位置決めされて本体に固定されることで、調理物の介在や、調理物からの焼汁や油煙の焦げ付き等ですべり性が悪くなったりすることを解消し、１対のレール１１の平行あるいは水平等を規制するための位置決めや形状が簡単に形成可能となり、恒久的にスムーズな受け皿の出し入れを行うことが可能となる。【選択図】図１
2006329520.tif 000002
【特許請求の範囲】
【請求項１】
本体と、前記本体前面に開口部を有し、内部に収納された調理物を加熱する加熱体を内蔵した調理庫と、前記調理庫の開口部の内壁周囲に嵌め込まれ、前記本体に固定される前面パネルと、前記調理庫の開口部の開閉を行うドアと、前記調理庫に収納される受け皿と、前記受け皿を保持する受け皿保持部と、前記調理庫の外側に設けられ、前記受け皿保持部と連動する可動体と、前記可動体を保持し、かつ前記可動体を摺動させるとともに前記本体内部に固定する固定体とを具備する少なくとも１対のレールとを備え、前記レールは、前記調理庫の下方に取り付けられるレール保持体に固定され、前記調理庫を前記レール保持体の上方から前記レール保持体と相互に位置決めされて固定される加熱調理器。
【請求項２】
調理庫は、その周囲の一部または全部にわたって遮熱ケースを有する請求項１記載の加熱調理器。
【請求項３】
レール保持体は、調理庫の方向に折り曲げられて形成された側壁面を有し、前記側壁面にレールの固定体が固定されてなる請求項１または２に記載の加熱調理器。
【請求項４】
レールは、可動体と固定体が嵌合保持し相互に対向する摺動面が両側に形成される構成を有し、前記摺動面を上下方向に位置させるべく、前記固定体がレール保持体の側壁面に固定されてなる請求項３に記載の加熱調理器。
【請求項５】
レール保持体の側壁面は、さらに外側に折り曲げられて形成されたフランジ部を有する請求項４に記載の加熱調理器。
【請求項６】
レール保持体は、前面パネルに所定の固定手段によって固定した請求項１〜５のいずれか１項に記載の加熱調理器。
【発明の詳細な説明】
【技術分野】
【０００１】
本発明は、一般家庭等でシステムキッチン等に組み込まれて使用する加熱調理器に関するものである。特に一般的にロースターと呼ばれる主に魚類を加熱調理する加熱調理器に関するものである。
【背景技術】
【０００２】
従来、この種の調理庫を備えた加熱調理器は、調理物の両面を同時に加熱するものが一般的であり、加熱体としてはシーズヒーターと呼ばれる電熱線のジュール熱を用いて加熱するものが一般的に用いられていた。
【０００３】
以下、その構成・作用について図７参照にしながら説明する。
【０００４】
図７に示すように、被加熱調理容器１０１を載置する天板１０２と、外郭を形成する本体１０３と、天板１０２の下方に位置する誘導加熱コイル１０４と、誘導加熱コイル１０４の下方に位置する上加熱体１０５と、下加熱体１０６を内蔵した調理庫１０７および調理物１０８を載置する焼き網１０９および焼き網１０９を載置するとともに調理庫１０７より出し入れ自在に設けた受け皿１１０および調理庫１０７の後方に設けた排気筒１１１および調理庫１０７の外周に設けられた遮熱ケース１１２と、加熱調理した調理物１０８の出し入れを行う開口部にはドア１１３を備える。その他、図示はしないが、本体１０３の内部に配置した駆動回路および冷却ファンと、本体１０３の前方あるいは上方に操作部を配置した加熱調理器である。
【０００５】
このような加熱調理器おいて、調理物１０８の出し入れは、ドア１１３の開閉動作によってなされるものであり、受け皿１１０はドア１１３に連動して動作するものである。ここで受け皿１１０は、調理物の汚れが取れやすく耐熱性・耐食性に優れたホーロー処理を施したものが一般的であり、調理庫１０７は、ホーロー処理や塗装処理を行っているものや、表面処理鋼板やステンレス鋼板等の耐熱・耐食性の優れた鋼板の生地そのままのものもある。
【０００６】
以上のような構成において、受け皿は、フランジ部下側に金属製のアームを介して調理庫の底面と摺動する構成となっているもの（例えば、特許文献１参照）や、調理庫の内壁にレールと滑車を設け、受け皿を直接滑動させるもの（例えば、特許文献２参照）や、調理庫と調理庫を覆う遮熱ケースの間に１対のレールを設け、レールに連動して受け皿を摺動させるもの（例えば、特許文献３参照）が開示されている。しかしながら、依然として、調理庫底面に受け皿が直接載るようになっている簡易な構成のものが一般的に多いのが現状である。
【特許文献１】特開平６−７０８５４号公報
【特許文献２】特開平１１−２６７０３８号公報
【特許文献３】特開２００４−２１８９０１号公報
【発明の開示】
【発明が解決しようとする課題】
【０００７】
しかしながら、前記従来の構成では、受け皿と連結したドアを引き出す時は、受け皿や調理庫の底面や側面に設けられた凸部の上を摺動するので、ホーローで処理された受け皿とホーローや塗装あるいは表面処理鋼板やステンレス鋼板等の生地にて構成された調理庫とが直接摺動面を形成するため、調理物の荷重によって、すべり性が悪くなったり、調理物の介在や、調理物からの焼汁や油煙の焦げ付き等でさらにすべり性が悪くなったりする。また、ホーローの欠けや割れ、あるいは塗装のはがれ等が発生する場合もある。また金属製のアームを介して摺動する場合でも、ホーローや塗装あるいは表面処理鋼板やステンレス鋼板等の生地にて構成された調理庫とが直接摺動面を形成するため、同様の課題が発生するものである。また、調理庫の内壁にレールと滑車を設け、受け皿を直接滑動させるものの場合、調理庫内に形成するため、調理物の介在や、調理物からの焼汁や油煙の焦げ付き等ですべり性が悪くなったりすることが容易に予測できるほか、耐熱性・耐腐食性等の課題が発生するものである。また、調理庫と調理庫を覆う遮熱ケースの間にレールを設け、レールに連動して受け皿を摺動させるものの場合、レールを保持する構成あるいは１対のレールの平行度を保つ構成、レールと受け皿との相互の位置関係を保つ構成等の具体的な開示はなされてなく実現性に乏しいものであった。
【０００８】
したがって、本改善方法では根本的な改善とはいえないという課題を有していた。
【０００９】
そこで本発明は、上記従来の課題を解決するものであり、加熱調理器の調理庫を用いて加熱調理を行う加熱調理器において、調理庫の外側にレールを形成し、調理物の介在や、調理物からの焼汁や油煙の焦げ付き等ですべり性が悪くなったりすることを解消するとともに、レールの保持構成あるいはレールと受け皿の相互の位置関係を保つ構成を具体的に開示し、１対のレールの平行度を保ちながら恒久的にスムーズな受け皿の出し入れを行い、調理物の出し入れにおいて、使い勝手のよい、加熱調理器を提供することを目的としている。
【課題を解決するための手段】
【００１０】
前記従来の課題を解決するために、本発明の加熱調理器は、本体と、本体前面に開口部を有し内部に収納された調理物を加熱する加熱体を内蔵した調理庫と、調理庫の開口部の内壁周囲に嵌め込まれ、本体に固定される前面パネルと、調理庫の開口部の開閉を行うドアと、調理庫に収納される受け皿と、受け皿を保持する受け皿保持部と、調理庫の外側に設けられ、受け皿保持部と連動する可動体と、可動体を保持し、かつ可動体を摺動させるとともに本体内部に固定する固定体とを具備する少なくとも１対のレールとを備え、レールは、調理庫の下方に取り付けられるレール保持体に固定され、調理庫をレール保持体の上方からレール保持体と相互に位置決めされて固定されることを特徴とするものである。
【００１１】
このように、レールを調理庫の外側に設けることによって、調理物の介在や、調理物からの焼汁や油煙の焦げ付き等ですべり性が悪くなったりすることを解消するものである。
【００１２】
また、１対のレールを保持するレール保持体を設けることによって、１対のレールの平行あるいは水平等を規制するための位置決めや形状が簡単に形成可能となり、恒久的にスムーズな受け皿の出し入れを行うことが可能となるものである。
【００１３】
また、レール保持体と調理庫を相互に位置決めされて固定することによってレールと受け皿の位置関係を保ちながら、恒久的にスムーズな受け皿の出し入れを行うことが可能となるものである。
【発明の効果】
【００１４】
本発明の加熱調理器は、調理庫の外側に設けたレールは、調理庫の下方に取り付けられるレール保持体に固定され、調理庫をレール保持体の上方からレール保持体と相互に位置決めされて本体に固定されることを特徴とするものである。
【００１５】
このように、レールを調理庫の外側に設けることによって、調理物の介在や、調理物からの焼汁や油煙の焦げ付き等ですべり性が悪くなったりすることを解消するものである。
【００１６】
また、１対のレールを保持するレール保持体を設けることによって、１対のレールの平行あるいは水平等を規制するための位置決めや形状が簡単に形成可能となり、恒久的にスムーズな受け皿の出し入れを行うことが可能となるものである。
【００１７】
また、レール保持体と調理庫を相互に位置決めされて固定することによってレールと受け皿の位置関係を保ちながら、恒久的にスムーズな受け皿の出し入れを行うことが可能となるものである。
【発明を実施するための最良の形態】
【００１８】
第１の発明は、本発明の加熱調理器は、本体と、本体前面に開口部を有し内部に収納された調理物を加熱する加熱体を内蔵した調理庫と、調理庫の開口部の内壁周囲に嵌め込まれ、本体に固定される前面パネルと、調理庫の開口部の開閉を行うドアと、調理庫に収納される受け皿と、受け皿を保持する受け皿保持部と、調理庫の外側に設けられ、受け皿保持部と連動する可動体と、可動体を保持し、かつ可動体を摺動させるとともに本体内部に固定する固定体とを具備する少なくとも１対のレールとを備え、レールは、調理庫の下方に取り付けられるレール保持体に固定され、調理庫をレール保持体の上方からレール保持体と相互に位置決めされて固定されることを特徴とするものである。
【００１９】
このように、レールを調理庫の外側に設けることによって、調理物の介在や、調理物からの焼汁や油煙の焦げ付き等ですべり性が悪くなったりすることを解消するものである。
【００２０】
また、１対のレールを保持するレール保持体を設けることによって、１対のレールの平行あるいは水平等を規制するための位置決めや形状が簡単に形成可能となり、恒久的にスムーズな受け皿の出し入れを行うことが可能となるものである。
【００２１】
また、レール保持体と調理庫を相互に位置決めされて固定することによってレールと受け皿の位置関係を保ちながら、恒久的にスムーズな受け皿の出し入れを行うことが可能となるものである。
【００２２】
第２の発明は、特に第１の発明の調理庫は、その周囲の一部または全部にわたって遮熱ケースを有することを特徴とするものである。
【００２３】
このように調理庫の周囲の一部または全部にわたって遮熱ケースを有することによって調理庫内の熱エネルギーの損失を低減するとともに、調理庫の外側に設けたレールへの熱影響を低減することができ、熱影響によるレールの変形、ゆがみ、の緩和やその他、例えば摺動性を良くするために設けた潤滑材等の熱劣化を低減する等の効果によって、恒久的にスムーズな受け皿の出し入れを行うことが可能となるものである。
【００２４】
第３の発明は、特に第１または第２の発明のレール保持体は、調理庫の方向に折り曲げられて形成された側壁面を有し、側壁面にレールの固定体が固定されたことを特徴とするものである。
【００２５】
このように、レール保持体に側壁面を設けることによって、側壁面を１対のレールの平行を規制するための位置決めとして使用できるほか、１対のレールの取り付け幅も精度よく規制でき、もの作り的にも摺動方向に対して直角方向に曲げた面を利用するため、加工上の平行度も出しやすい構成となる。また、側壁面がさらにレールへの熱影響を緩和する遮熱壁の効果を発揮し、恒久的にスムーズな受け皿の出し入れを行うことが可能となるものである。
【００２６】
第４の発明は、特に第３の発明のレールは、可動体と固定体が嵌合保持し相互に対向する摺動面が両側に形成される構成を有し、摺動面を上下方向に位置させるべく、固定体がレール保持体の側壁面に固定されたことを特徴とするものである。
【００２７】
このように、レールにかかる摺動時の荷重は、主に上下方向の静荷重であり、上下方向に摺動面を設けることによってレールの強度が確保されるものである。摺動面は摩擦の少ないよう点接触部を設けたり、ホールベアリングを利用してさらに摩擦を低減したり、潤滑材を塗布する等の摺動性の改善を目的とした工夫を凝らすことは設計的に容易であり、そういった工夫によって摺動面を設けた上下方向に対しては、１対のレールの寸法ばらつきに対して吸収が可能な構成となり摺動性を損なうことはないものである。しかしながら摺動面と垂直の方向に対しては可動体と固定体を嵌合保持する構成が必要なため強度的にも摺動面を形成した方向に対しては劣るとともに寸法ばらつき、平行度のばらつきに対して摺動性を損なうことが予測される。したがって、本発明のように摺動面を上下方向に位置させるべく、固定体をレール保持体の側壁面に固定することによって、強度が弱く、寸法ばらつきによる摺動性を損なう恐れがある、レールの水平方向の平行度を保つことが可能となるものである。また、側壁面がさらにレールへの熱影響を緩和する遮熱壁の効果を発揮し、恒久的にスムーズな受け皿の出し入れを行うことが可能となるものである。
【００２８】
第５の発明は、特に第４の発明のレール保持体側壁面は、さらに外側に折り曲げられて形成されたフランジ部を有することを特徴とするものである。このフランジ部は、さらに遮熱効果をあげるための遮熱壁の役割をするほか、例えば組立時に部品やねじ類の脱落によるレールの摺動面へのかみこみを防止するとともに調理庫あるいは遮熱ケース等の位置決め、取り付け部を形成することが可能となり、レールと受け皿の相互の位置関係を保ちながら、恒久的にスムーズな受け皿の出し入れを行うことが可能となるものである。
【００２９】
第６の発明は、特に第１〜５のいずれかひとつの発明のレール保持体は、前面パネルに所定の固定手段によって固定したことを特徴とするものである。この前面パネルは調理庫の開口部の内壁周囲に嵌め込まれ、本体に固定されるため調理庫との位置関係を保てるものでありレールを固定したレール保持体をこの前面パネルに固定することは、レールと調理庫の位置関係を保つこととなり、結果受け皿との位置関係が保たれ、恒久的にスムーズな受け皿の出し入れを行うことが可能となるものである。例えば、前面パネルに穴部を設けてレールを穴部の中を摺動させる場合等においても相互の位置関係を保つことは重要であり、穴部への接触等による摺動性の不具合の発生を抑制する効果がある。固定方法については、ねじ止めが一般的であるがスポット溶接や、接着あるいは板金の折り曲げによる係止やかしめ等設計者が任意に選択できるものである。また、レール保持体と本体と前面パネルをともに固定しても同様の効果が得られるものである。
【００３０】
以下、本発明の実施の形態について、図面を参照しながら説明する。なお、この実施の形態によって本発明が限定されるものではない。
【００３１】
（実施の形態１）
図１は、本発明の実施の形態１における加熱調理器の斜視図を示すものである。
【００３２】
図１において、加熱調理器は、本体１と、本体１前面に開口部を有し内部に収納された調理物２（図示せず）を加熱する加熱体３を内蔵した調理庫４と、調理庫４の開口部の内壁周囲に嵌め込まれ、本体に固定される前面パネル５（点線で図示）と、調理庫４の開口部の開閉を行うドア６と、調理庫４に収納される受け皿７と、受け皿７を保持する受け皿保持部８（図示せず）と、調理庫４の外側に設けられ、受け皿保持部８と連動する可動体９と、可動体９を保持し、かつ可動体９を摺動させるとともに本体１内部に固定する固定体１０とを具備する少なくとも１対のレール１１とを備え、レール１１は、調理庫４の下方に取り付けられるレール保持体１２に固定され、調理庫４をレール保持体１１の上方からレール保持体１１と相互に位置決めされて本体１に固定されることを特徴とするものである。
【００３３】
以上のように、本実施の形態においては、レール１１を調理庫４の外側に設けることによって、調理物２の介在や、調理物２からの焼汁や油煙の焦げ付き等ですべり性が悪くなったりすることを解消することができる。
【００３４】
また、１対のレール１１を保持するレール保持体１２を設けることによって、１対のレール１１の平行あるいは水平等を規制するための位置決めや形状が簡単に形成可能となり、恒久的にスムーズな受け皿７の出し入れを行うことが可能となるものである。
【００３５】
また、レール保持体１２と調理庫４を相互に位置決めし本体１に固定することによってレール１１と受け皿７の位置をばらつくことなく規制することができるものである。
【００３６】
なお、位置決め方法については、板金の切り起こし部に穴を嵌合する方法や、ビードや切り起こしを設けて位置決めするなど設計者が任意に選択できるものである。
【００３７】
なお、図示はしていないが受け皿保持部８は、可動体９に設けるあるいはドア６に設けても同様の効果が得られるものである。また、可動体９の先端部に別体の連結部材を設けて受け皿保持部８を設けても同様である。
【００３８】
また、各々の固定方法については、ねじ止めが一般的であるがスポット溶接や、接着あるいは板金の折り曲げによる係止やかしめ等設計者が任意に選択できるものである。
【００３９】
（実施の形態２）
図２は、本発明の実施の形態２における加熱調理器の斜視図を示すものである。
【００４０】
図２において、基本的な構成は実施の形態１と同様であるため、構成の違うところのみを説明する。調理庫４は、その周囲の一部または全部にわたって遮熱ケース１３を有することを特徴とするものである。
【００４１】
このように調理庫４の周囲の一部または全部にわたって遮熱ケース１３を有することによって調理庫４内の熱エネルギーの損失を低減するとともに、調理庫４の外側に設けたレール１１への熱影響を低減することができ、熱影響によるレール１１の変形、ゆがみ、の緩和やその他、例えば摺動性を良くするために設けた潤滑材（図示せず）等の熱劣化を低減する等の効果によって、恒久的にスムーズな受け皿７の出し入れを行うことが可能となるものである。
【００４２】
なお、潤滑材については、グリースが一般的に利用されるものであるが、特に摺動性を改善するものであれば設計者が任意に選択できるものである。
【００４３】
（実施の形態３）
図３は本発明の実施の形態３における加熱調理器の斜視図を示すものである。
【００４４】
図３において、基本的な構成は実施の形態１あるいは２と同様であるため、構成の違うところのみを説明する。レール保持体１２は、調理庫４の方向に折り曲げられて形成された側壁面１４を有し、側壁面１４にレール１１の固定体１０が固定されたことを特徴とするものである。
【００４５】
このように、レール保持体１２に側壁面１４を設けることによって、側壁面１４を１対のレール１１の平行を規制するための位置決めとして使用できるほか、１対のレール１１の取り付け幅も精度よく規制でき、もの作り的にも摺動方向に対して直角方向に曲げた面を利用するため、加工上の平行度も出しやすい構成となる。また、側壁面１４がさらにレール１１への熱影響を緩和する遮熱壁の効果を発揮し、恒久的にスムーズな受け皿７の出し入れを行うことが可能となるものである。
【００４６】
なお、側壁面１４は、図では曲げの角度が直角に曲げられているが特に曲げの角度については本発明の効果とは関係なく設計者が任意に選択できるものである（ただし、一般的に考えて４５°以上の曲げが好ましい）。また、側壁面１４への固定体１０の固定方法については、ねじ止めが一般的であるがスポット溶接や、接着あるいは板金の折り曲げによる係止やかしめ等設計者が任意に選択できるものである。
【００４７】
（実施の形態４）
図４は本発明の実施の形態４における加熱調理器の斜視図を示すものである。
【００４８】
図４において、基本的な構成は実施の形態３と同様であるため、構成の違うところのみを説明する。レール１１は、可動体９と固定体１０が嵌合保持し相互に対向する摺動面１５（斜線で示す）が両側に形成される構成を有し、摺動面１５を上下方向に位置させるべく、固定体１０がレール保持体１２の側壁面１４に固定されたことを特徴とするものである。
【００４９】
このように、レールにかかる摺動時の荷重は、主に上下方向の静荷重であり、上下方向に摺動面１５を設けることによってレール１１の強度が確保されるものである。摺動面１５は摩擦の少ないよう点接触部を設けたり、ホールベアリングを利用してさらに摩擦を低減したり、潤滑材を塗布する等の摺動性の改善を目的とした工夫を凝らすことは設計的に容易であり、そういった工夫によって摺動面１５を設けた上下方向に対しては、１対のレール１１の寸法ばらつきに対して吸収が可能な構成となり摺動性を損なうことはないものである。しかしながら摺動面１５と垂直の方向に対しては可動体９と固定体１０を嵌合保持する構成が必要なため強度的にも摺動面１５を形成した方向に対しては劣るとともに寸法ばらつき、平行度のばらつきに対して摺動性を損なうことが予測される。したがって、本発明のように摺動面１５を上下方向に位置させるべく、固定体１０をレール保持体１２の側壁面１４に固定することによって、強度が弱く、寸法ばらつきによる摺動性を損なう恐れがある、レール１１の水平方向の平行度を保つことが可能となるものである。また、側壁面１４がさらにレールへの熱影響を緩和する遮熱壁の効果を発揮し、恒久的にスムーズな受け皿７の出し入れを行うことが可能となるものである。
【００５０】
なお、固定方法については、ねじ止めが一般的であるがスポット溶接や、接着あるいは板金の折り曲げによる係止やかしめ等設計者が任意に選択できるものである。
【００５１】
（実施の形態５）
図５は本発明の実施の形態５における加熱調理器の斜視図を示すものである。
【００５２】
図５において、基本的な構成は実施の形態４と同様であるため、構成の違うところのみを説明する。レール保持体１２の側壁面１４は、さらに外側に折り曲げられて形成されたフランジ部１６を有することを特徴とするものである。このフランジ部１６は、さらに遮熱効果をあげるための遮熱壁の役割をするほか、例えば組立時に部品やねじ類の脱落によるレール１１の摺動面１５へのかみこみを防止するとともに、図示はしないが調理庫４あるいは遮熱ケース１３等の位置決め、取り付け部を形成することが可能となり、レール１１と受け皿７の相互の位置関係を保ちながら、恒久的にスムーズな受け皿７の出し入れを行うことが可能となるものである。
【００５３】
（実施の形態６）
図６は本発明の実施の形態６における加熱調理器の断面図を示すものである。
【００５４】
図６において、基本的な構成は実施の形態１〜５のいずれかひとつと同様であるため、構成の違うところのみを説明する。レール保持体１２は、前面パネル５に所定の固定手段１７によって固定したことを特徴とするものである。この前面パネル５は調理庫４の開口部の内壁周囲に嵌め込まれ、本体１に固定されるため調理庫４との位置関係を保てるものでありレール１１を固定したレール保持体１２をこの前面パネル５に固定することは、レール１１と調理庫４の位置関係を保つこととなり、結果受け皿７との位置関係が保たれ、恒久的にスムーズな受け皿７の出し入れを行うことが可能となるものである。例えば、前面パネル５に穴部１８を設けてレール１１を穴部１８の中を摺動させる場合等においても相互の位置関係を保つことは重要であり、穴部１８への接触等による摺動性の不具合の発生を抑制する効果がある。固定方法については、ねじ止めが一般的であるがスポット溶接や、接着あるいは板金の折り曲げによる係止やかしめ等設計者が任意に選択できるものである。また、レール保持体１２と本体１と前面パネル５をともに固定しても同様の効果が得られるものである。
【産業上の利用可能性】
【００５５】
以上のように、本発明にかかる加熱調理器は、安全で使い勝手の良い加熱調理器であり、システムキッチン等に組み込まれて使用されるその他の機器についても適用できるものである。また、組込式以外のものについても適用できるものである。
【図面の簡単な説明】
【００５６】
【図１】本発明の実施の形態１における加熱調理器の斜視図
【図２】本発明の実施の形態２における加熱調理器の斜視図
【図３】本発明の実施の形態３における加熱調理器の斜視図
【図４】本発明の実施の形態４における加熱調理器の斜視図
【図５】本発明の実施の形態５における加熱調理器の斜視図
【図６】本発明の実施の形態６における加熱調理器の斜視図
【図７】従来例を示す加熱調理器の断面図
【符号の説明】
【００５７】
１  本体
２  調理物
３  加熱体
４  調理庫
５  前面パネル
６  ドア
７  受け皿
８  受け皿保持部
９  可動体
１０  固定体
１１  レール
１２  レール保持体
１３  遮熱ケース
１４  側壁面
１５  摺動面
１６  フランジ部
１７  固定手段
１８  穴部
【図１】
2006329520.tif 000003
【図２】
2006329520.tif 000004
【図３】
2006329520.tif 000005
【図４】
2006329520.tif 000006
【図５】
2006329520.tif 000007
【図６】
2006329520.tif 000008
【図７】
2006329520.tif 000009